(57)【要約】      （修正有）【課題】脚周り部のサイズ調整の自由度が高いボクサーパンツ型の使い捨ておむつを提供する。【解決手段】着用者の両脚周りを被覆する左右の脚周り部４を有するボクサーパンツ型の使い捨ておむつ１００に関する。左右の脚周り部４は，それぞれ，サイドシール部５の延長線上において，前身頃側部分と後身頃側部分とが解離していることにより，スリット４１が形成されている。また，左右の脚周り部４は，前身頃側部分と後身頃側部分の一方の外面には，前身頃側部分と後身頃側部分の他方の少なくとも一部を止め付けるけるための係止手段４２が設けられている。これにより，おむつの脚周り部４のサイズを，着用者の脚周りのサイズに合わせて自由に調整することができる。【選択図】図１
2015134129.tif 000002
【特許請求の範囲】
【請求項１】
着用者の腹部に接する前身頃（１）と，
着用者の背部に接する後身頃（２）と，
着用者の股下にあてがわれる吸収体（３）と，
着用者の股下の左右両側に形成されて，着用者の脚周りを被覆する左右の脚周り部（４）と，
前記前身頃（１）と前記後身頃（２）の左右両側を互いに接合するサイドシール部（５）と，を有し，
前記前身頃（１）と前記後身頃（２）を前記サイドシール部（５）において接合することによりウエスト開口部（６）が形成され，
前記左右の脚周り部（４）のそれぞれによって左右のレッグ開口部（７）が形成された，
ボクサーパンツ型の使い捨ておむつであって，
前記左右の脚周り部（４）は，それぞれ，
前記サイドシール部（５）の延長線上において，前身頃側部分（４ａ）と後身頃側部分（４ｂ）とが解離していることにより，スリット（４１）が形成されており，
前記前身頃側部分（４ａ）と前記後身頃側部分（４ｂ）の一方の外面には，前記前身頃側部分（４ａ）と前記後身頃側部分（４ｂ）の他方の少なくとも一部を止め付けるけるための係止手段（４２）が設けられている
使い捨ておむつ。
【請求項２】
前記前身頃側部分（４ａ）と前記後身頃側部分（４ｂ）の前記他方は，それぞれ，
前記サイドシール部（５）よりも幅方向外側に延出したタブ（４３）を含む
請求項１に記載の使い捨ておむつ。
【請求項３】
前記タブ（４３）の内面には，前記係止手段（４２）と係合する止着手段（４４）が設けられている
請求項２に記載の使い捨ておむつ。
【請求項４】
前記前身頃側部分（４ａ）と前記後身頃側部分（４ｂ）の前記他方には，それぞれ，幅方向への伸縮性が付与されている
請求項１から請求項３のいずれかに記載の使い捨ておむつ。
【請求項５】
前記サイドシール部（５）と前記スリット（４１）の境界を含む位置には，前記サイドシール部（５）よりも接合力の高いシール補強部（５０）が形成されている
請求項１から請求項４のいずれかに記載の使い捨ておむつ。
【発明の詳細な説明】
【技術分野】
【０００１】
本発明は，ボクサーパンツ型の使い捨ておむつに関する。具体的に説明すると，ボクサーパンツ型の使い捨ておむつは，予め前身頃と後身頃の左右両側部が接合されており，且つ，着用者の脚周りを被覆する筒状部分を有するタイプの使い捨ておむつである。
【背景技術】
【０００２】
従来から，着用者の股下に装着されて，尿などの排泄物を吸収し保持する使い捨ておむつが知られている。この使い捨ておむつは，パンツ型とテープ型とに大別することができる。パンツ型の使い捨ておむつは，前身頃と後身頃の左右両側が，ホットメルトや，ヒートシール，超音波シールなどによって予め相互に接合されており，着用者がウエスト周りの開口部から両足を通して履くタイプのおむつである。また，テープ型の使い捨ておむつは，後身頃の左右両端部から延出するように止着テープが設けられており，この止着テープを利用して後身頃と前身頃を結合することで，着用者の股下に装着するタイプのおむつである。
【０００３】
また，パンツ型の使い捨ておむつとして，近年，ボクサーパンツ型のものが知られている。例えば，ボクサーパンツ型の使い捨ておむつは，特許文献１〜３に開示されている。ボクサーパンツ型の使い捨ておむつは，着用者の脚周りを被覆する筒状の脚周り部が形成されている。このボクサーパンツ型の使い捨ておむつは，脚周り部が形成されていることにより，脚周りの開口部から排泄物が漏れにくいという利点を有している。また，近年では，一般的なブリーフパンツ型よりもボクサーパンツ型の使い捨ておむつを好む需要者も増加している。
【先行技術文献】
【特許文献】
【０００４】
【特許文献１】特開２００８−２５３２９０号公報
【特許文献２】特開２０１０−２２０９８０号公報
【特許文献３】特開２０１１−０６２３２９号公報
【発明の概要】
【発明が解決しようとする課題】
【０００５】
ところで，ボクサーパンツ型の使い捨ておむつは，脚周り部のサイズが，着用者の脚周り（特に大腿）に適切にフィットするものとなっていることが重要となる。すなわち，おむつの脚周り部のサイズが大き過ぎると，脚周りの開口部から排泄物が漏れ出してしまったり，おむつの上から衣服を履いたときにおむつのブカブカ感が目立つようになる。他方，おむつの脚周り部のサイズが小さすぎると，着用者の大腿の締め付けが強くなり，装着感が悪くなる。
【０００６】
ここで，特許文献１〜３に開示されたボクサーパンツ型の使い捨ておむつは，おむつの脚周り部に弾性伸縮部材（例：糸ゴム）を配置して伸縮性を付与することにより，脚周り部のサイズ調整をある程度行うことができるような構成を有している。しかしながら，弾性伸縮部材によって脚周り部のサイズ調整を行うことには一定の限界があり，着用者の大腿が予想以上に細い場合や予想以上に太い場合には対応することができない。ボクサーパンツ型の使い捨ておむつの最大の特徴は脚周り部が形成されている点にあるが，この脚周り部のサイズ調整が適切に行えないものであると，却っておむつの装着感が低下してしまうという不具合がある。このように，ボクサーパンツ型の使い捨ておむつは，脚周り部のサイズ調整の自由度が低いという点が，このタイプのおむつの普及を妨げている一因となっていると考えられる。
【０００７】
そこで，本発明は，脚周り部のサイズ調整の自由度が高いボクサーパンツ型の使い捨ておむつを提供することを解決課題としている。
【課題を解決するための手段】
【０００８】
本発明の発明者は，上記問題の解決手段について鋭意検討した結果，ボクサーパンツ型の使い捨ておむつにおいて，脚周り部の左右両側にスリットを形成し，この脚周り部の前身頃側と後身頃側の一方に，他方を止め付けるための係止手段を設けることとした。これにより，着用者の脚周り（大腿）のサイズに合わせて，使い捨ておむつの脚周り部のサイズを調整することが可能になり，適切なフィット性を提供することができる。そして，本発明者は，上記知見に基づけば，従来技術の課題を解決できることに想到し，本発明を完成させた。
具体的に説明すると，本発明は以下の構成を有する。
【０００９】
本発明は，ボクサーパンツ型の使い捨ておむつに関する。本発明の使い捨ておむつは，前身頃１と，後身頃２と，吸収体３と，左右の脚周り部４と，サイドシール部５と，を有する。前身頃１は，着用者の腹部に接する部分である。後身頃２は，着用者の背部に接する部分である。吸収体３は，着用者の股下にあてがわれる部材である。左右の脚周り部４は，着用者の股下の左右両側に形成されて，着用者の左右の脚周りを被覆する部分である。サイドシール部５は，前身頃１と後身頃２の左右両側を互いに接合する接合部である。また，本発明の使い捨ておむつは，前身頃１と後身頃２をサイドシール部５において接合することによりウエスト開口部６が形成される。さらに，本発明の使い捨ておむつは，左右の脚周り部４のそれぞれによって左右のレッグ開口部７が形成されている。
ここで，左右の脚周り部４は，それぞれ，サイドシール部５の延長線上において，前身頃側部分４ａと後身頃側部分４ｂとが解離していることにより，スリット４１が形成されている。
さらに，前身頃側部分４ａと後身頃側部分４ｂの一方の外面には，前身頃側部分４ａと後身頃側部分４ｂの他方の一部を止め付けるけるための係止手段４２が設けられている。
【００１０】
上記構成のように，脚周り部４の幅方向左右両側にスリット４１を形成することで，この脚周り部４が，着用者の脚周り（大腿）のサイズに合わせて開くようになる。そして，例えば，脚周り部４の前身頃側部分４ａに係止手段４２を設け，この係止手段４２に後身頃側部分４ｂの一部を止め付けることができるようにすることで，着用者の脚周りのサイズに合わせて，脚周り部４のサイズを自由に調整することが可能になる。従って，本発明によれば，脚周り部４のサイズ調整の自由度を格段に高めることができる。このように，本発明のボクサーパンツ型使い捨ておむつは，その脚周り部４が着用者の大腿に適切にフィットするため，排泄物が漏れ出す事態を効果的に防止でき，さらにはおむつの上から衣服を履いたときのブカブカ感を解消することができる。
【００１１】
本発明の使い捨ておむつにおいて，前身頃側部分４ａと後身頃側部分４ｂの上記他方は，それぞれ，サイドシール部５よりも幅方向外側に延出したタブ４３を含むことが好ましい。
【００１２】
上記構成のように，例えばサイドシール部５の後身頃側部分４ｂにタブ４３を設けることで，着用者はこのタブ４３を掴んで，おむつの脚周り部４のサイズ調整を行うことできる。このため，着用者にとって，サイズ調整の作業が行い易いものなる。また，着用者は，このタブ４３を，例えば前身頃側部分４ａに設けられた係止手段４２に止め付けることもできる。
【００１３】
本発明の使い捨ておむつにおいて，タブ４３の内面には，係止手段４２と係合する止着手段４４が設けられていることが好ましい。
【００１４】
上記構成のように，タブ４３の内面に止着手段４４を設けることで，係止手段４２との係合力が高まり，調整した脚周り部４のサイズをしっかりと保持することができる。例えば，係止手段４２と止着手段４４によって，ファスナーを構成することが好ましい。例えば，脚周り部４の前身頃側部分４ａ又は後身頃側部分４ｂに設ける係止手段４２として，ファスナーのフック材を採用し，タブ４３に設ける係止手段４２としてファスナーのループ材を採用することが好ましい。
【００１５】
本発明の使い捨ておむつにおいて，前身頃側部分４ａと後身頃側部分４ｂの上記他方には，それぞれ，幅方向への伸縮性が付与されていることが好ましい。
【００１６】
上記構成のように，例えば，前身頃側部分４ａに係止手段４２を設けた場合，後身頃側部分４ｂに伸縮性を付与することで，この後身頃側部分４ｂを引っ張って，係止手段４２に止め付けやすくなる。
【００１７】
本発明の使い捨ておむつにおいて，サイドシール部５とスリット４１の境界を含む位置には，サイドシール部５よりも接合力の高いシール補強部５０が形成されていることが好ましい。
【００１８】
本発明においては，サイドシール部５の延長線上にスリット４１が形成されており，このスリット４１によって，脚周り部４の前身頃側部分４ａと後身頃側部分４ｂとが着用者の脚周りのサイズに合わせて開くようになっている。このため，前身頃側部分４ａと後身頃側部分４ｂが開いたときには，サイドシール部５とスリット４１の境界部分に強い剥離力が掛かり，この境界部分が破れやすくなっている。そこで，上記構成のように，この境界部分にシール補強部５０を形成することで，不用意にこの境界部分が破れることを防止することができる。
【発明の効果】
【００１９】
本発明によれば，脚周り部のサイズ調整の自由度が高いボクサーパンツ型の使い捨ておむつを提供することができる。
【図面の簡単な説明】
【００２０】
【図１】図１は，本発明に係るボクサーパンツ型の使い捨ておむつの一実施形態を示した外観図である。
【図２】図２は，図１に示したボクサーパンツ型の使い捨ておむつを展開し，内面側からみた状態を示す平面図である。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
なお，本願明細書において，使い捨ておむつの「長手方向」とは，前身頃と後身頃を結ぶ方向（図２における上下方向）を意味する。また，使い捨ておむつの「幅方向」とは，長さ方向と平面的に直交する方向を意味する。
【００２２】
まず，本発明に係るボクサーパンツ型の使い捨ておむつ１００の基本的な構成について説明する。
図１は，本発明に係るボクサーパンツ型の使い捨ておむつの一実施形態の外観を示している。また，図２は，図１に示したボクサーパンツ型の使い捨ておむつの展開状態を示している。ただし，図２では，吸収体３を透過的に描画している。
【００２３】
図１に示されるように，本発明に係るボクサーパンツ型の使い捨ておむつ１００は，着用者の腹部を被覆する前身頃１と，着用者の背部を被覆する後身頃２とを有している。また前身頃１から後身頃２の内面側（着用者肌に接する面側）には，着用者の股下に接し尿などの排泄物を吸収し保持するための吸収体３が配置されている。また，前身頃１と後身頃２は，幅方向の左右両側の端縁部分において，互いに接合されている。この接合部分が，サイドシール部５となる。サイドシール部５においては，前身頃１と後身頃２を，ホットメルト接着剤のような公知の接着剤を利用して接合することとしてもよいし，ヒートシールや超音波シールのような公知の技術を利用して融着することとしてもよい。このように，前身頃１と後身頃２の両側をサイドシール部５において接合することで，前身頃１と後身頃２が環状に繋がる。これにより，使い捨ておむつ１００のウエスト周りに，ウエスト開口部６が形成される。
【００２４】
また，図１に示されるように，前身頃１及び後身頃２の下方には，着用者の左右の脚周りを被覆する脚周り部４が形成されている。左右の脚周り部４は，基本的には略筒状に形成されており，着用者の大腿周りを覆うことができる。また，左右の脚周り部４の下縁はそれぞれ開放されており，ここに左右のレッグ開口部７が形成される。このため，着用者は，ウエスト開口部６から両脚を入れて，左右のレッグ開口部７からそれぞれ片脚ずつ出すことで，ボクサーパンツ型の使い捨ておむつ１００を装着することができる。このようにして使い捨ておむつ１００が装着されると，着用者の股下に吸収体３が接するようになっている。
【００２５】
図２の展開図に示されるように，本実施形態の使い捨ておむつ１００は，前身頃１を構成する前身頃外装体１０と後身頃２を構成する後身頃外装体２０とが，分離した別々の部材によって形成された構造となっている。すなわち，図２に示されるように，前身頃外装体１０は，前身頃１と脚周り部４の前身頃側部分４ａを形成している。つまり，前身頃外装体１０は，前身頃１と脚周り部４の前身頃側部分４ａが一体に繋がって構成された部材である。他方，後身頃外装体２０は，後身頃２と脚周り部４の後身頃側部分４ｂを形成している。つまり，後身頃外装体２０は，後身頃２と脚周り部４の後身頃側部分４ｂが一体に繋がって構成された部材である。前身頃外装体１０と後身頃外装体２０は，例えば複数のシート部材を重ね合わせて接合することで形成すればよい。前身頃外装体１０には，吸収体３の長手方向の一端部分が固定され，後身頃外装体２０には，吸収体３の長手方向の他端部分が固定される。このように，前身頃外装体１０と後身頃外装体２０は，吸収体３を被覆して着用者の股下にあてがった状態で保持するための部材となる。
【００２６】
また，図１及び図２に示されるように，前身頃外装体１０と後身頃外装体２０を構成するシート部材の間には，幅方方向に沿って伸縮するウエスト伸縮部材１１，２１を複数本配置することが好ましい。これにより，前身頃外装体１０と後身頃外装体２０の腹周り部分に，ひだ状のギャザーを形成することができる。
【００２７】
図１及び図２に示されるように，本実施形態では，前身頃外装体１０と後身頃外装体２０は，脚周り部４の前身頃側部分４ａと後身頃側部分４ｂの幅方向中央において，着用者の股下から両脚の付け根近傍のラインに沿ってくり貫かれた形状となっている。そして，前身頃側部分４ａと後身頃側部分４ｂの幅方向中央は，このくり貫かれた部分に沿って，互いに接合されている。この股下部における接合部分が，クロッチシール部４０となる。図２に示されるように，本実施形態では，吸収体３を被覆するための外装体が，前身頃外装体１０と後身頃外装体２０とに分離した構造となっている。このため，脚周り部４の前身頃側部分４ａと後身頃側部分４ｂの股下部を互いに接合するために，クロッチシール部４０が必要となる。クロッチシール部４０においては，上述したサイドシール部５と同様に，前身頃側部分４ａと後身頃側部分４ｂを，ホットメルト接着剤を利用して接合することとしてもよいし，ヒートシールや超音波シールを利用して融着することとしてもよい。
【００２８】
なお，図１及び図２に示した実施形態では，吸収体３を被覆するための外装体が，前身頃外装体１０と後身頃外装体２０とに分離しているが，吸収体３を被覆するための外装体が，前身頃１から後身頃２にかけて一体になった実施形態も，本発明の範囲に含まれる。外装体が前身頃１から後身頃２にかけて一体になった実施形態は，例えば，特許文献３（特開２０１１−０６２３２９号公報）に開示されている。特許文献３に示されるように，一体型のボクサーパンツ型使い捨ておむつでは，上述したクロッチシール部４０が必要とされない。本願明細書では，簡略化のため，分離型のボクサーパンツ型使い捨ておむつを例に挙げて説明し，一体型のボクサーパンツ型使い捨ておむつの説明は割愛するが，この一体型の実施形態も本発明の範囲に含まれている。
【００２９】
また，前身頃外装体１０と後身頃外装体２０の間に固定される吸収体３は，公知の構成とすることができる。すなわち，吸収体３は，尿などの液体を吸収し，吸収した液体を保持するための部材である。吸収体３は，液透過性のトップシートと，液不透過性のバックシートと，これらのシートの間に介在する吸収性コアを含む。吸収性コアを構成する吸収性材料としては，例えば，粉砕パルプ（フラッフパルプ），高吸収性ポリマー，又は親水性シートのうち１種類を単独で用いてもよいし，２種類以上を併用することとしてもよい。
【００３０】
続いて，本発明に係るボクサーパンツ型の使い捨ておむつ１００の特徴的な構成について説明する。
図１及び図２に示されるように，本発明において，前身頃１と後身頃２の下方には，左右の脚周り部４が一体的に延在している。また，前身頃１と後身頃２の左右両側縁には，上下方向に延びるサイドシール部５が形成されている。ただし，このサイドシール部５は，左右の脚周り部４の下端にまでは至っていない。すなわち，左右の脚周り部４の左右両側縁には，サイドシール部５が形成されておらず，前身頃側部分４ａと後身頃側部分４ｂとが解離した部分が存在する。このため，図１に示されるように，左右の脚周り部４にはそれぞれ，サイドシール部５の延長線上に，スリット４１（切れ込み）が形成された状態となっている。このスリット４１は，左右の脚周り部４の下端からサイドシール部５に至る位置まで形成される。すなわち，スリット４１とは，使い捨ておむつの両側端のうち，サイドシール部５の下方に位置する，サイドシール部５が形成されていない部分である。このように，脚周り部４の左右両側にスリット４１が形成されていることで，図１に示されるように，前身頃側部分４ａと後身頃側部分４ｂとが離れて開くようになる。
【００３１】
図１及び図２に示された形態において，スリット４１は，脚周り部４の上下方向全長に亘って形成されている。ただし，スリット４１は，必ずしも脚周り部４の上下方向の全長に亘って形成されている必要はなく，脚周り部４の上下方向の一部に形成されていればよい。言い換えると，サイドシール部５が，脚周り部４にまで延在し，この前身頃側部分４ａと後身頃側部分４ｂの左右両側の一部を接合していてもよい。他方，スリット４１は，脚周り部４を越えて，前身頃１と後身頃２の一部に形成されていてもよい。言い換えると，サイドシール部５は，必ずしも前身頃１と後身頃２の上下方向全長に亘って形成されている必要はなく，前身頃１と後身頃２の上下方向の一部のみを接合するものであってもよい。なお，これらの態様についての図示は省略する。
【００３２】
図１及び図２に示されるように，本実施形態において，左右の脚周り部４の前身頃側部分４ａには，それぞれ，その外面側（着用者の肌に接しない面側）に，係止手段４２が取り付けられている。係止手段４２は，脚周り部４の後身頃側部分４ｂの少なくとも一部を止め付けるための部材である。係止手段４２は，例えば，面ファスナーのフック材で構成することができる。例えば，外装体１０，２０を構成するシート部材が不織布で形成されている場合，係止手段４２がフック材で構成されていれば，不織布で形成された後身頃側部分４ｂを係止手段４２（フック材）に接触させることで，止め付けることができる。また，係止手段４２は，面ファスナーのループ材であってもよい。例えば，後身頃側部分４ｂの一部に面ファスナーのフック材が取り付けられていれば，このフック材を係止手段４２（ループ材）に接触させることで，止め付けることができる。その他，係止手段４２は，両面テープなどの粘着テープであってもよい。
【００３３】
上記のように，脚周り部４の幅方向左右両側にはスリット４１が形成されているため，この脚周り部４が，着用者の脚周り（大腿）のサイズに合わせて開くようになっている。そして，脚周り部４の前身頃側部分４ａに係止手段４２が設け，この係止手段４２に後身頃側部分４ｂの一部を止め付けることができるようにすることで，着用者の脚周りのサイズに合わせて，脚周り部４のサイズを自由に調整することが可能になる。従って，本発明によれば，脚周り部４のサイズ調整の自由度を格段に高めることができる。また，本発明のボクサーパンツ型使い捨ておむつ１００は，その脚周り部４が着用者の大腿に適切にフィットするため，排泄物が漏れ出す事態を効果的に防止でき，さらにはおむつの上から衣服を履いたときのブカブカ感を解消することができる。
【００３４】
図１及び図２に示されるように，左右の脚周り部４の後身頃側部分４ｂは，サイドシール部５よりも幅方向左右外側に延出するタブ４３を含んで構成されている。すなわち，タブ４３は，後身頃側部分４ｂの一部である。タブ４３は，例えば，後身頃側部分４ｂを，前身頃側部分４ａに設けられた係止手段４２に止め付ける際に，着用者に把持される持ち手として機能する。また，タブ４３自体が，前身頃側部分４ａに設けられた係止手段４２に止め付けられるものであってもよい。このように，タブ４３を形成することで，脚周り部４のサイズ調整が容易になる。タブ４３は，後身頃外装体２０を構成するシート部材と一体に形成されていてもよいし，後身頃外装体２０のシート部材とは別のシート部材によって形成されていてもよい。タブ４３を形成するシート部材と後身頃外装体２０を形成するシート部材が別体である場合，タブ４３のシート部材は，後身頃外装体２０を形成する複数のシート部材の間に挟み込むようにして接合することが好ましい。タブ４３を後身頃外装体２０のシート層間に挟み込んで固定することで，タブ４３と後身頃外装体２０の接合強度が向上するため，タブ４３を強く引っ張っても，タブ４３が抜けることを防止できる。また，タブ４３は，幅方向への伸縮性を有するシート部材によって形成されていることが好ましい。例えば，タブ４３に伸縮性を付与するためには，タブ４３を構成するシート部材自体が伸縮するものであってもよいし，タブ４３を構成する複数のシート部材の間に弾性伸縮部材（糸ゴム）を挟み込んで固定することとしてもよい。
【００３５】
図１及び図２に示された実施形態において，タブ４３の内面側には，止着手段４４が取り付けられている。止着手段４４は，脚周り部４の前身頃側部分４ａの外面に取り付けられている係止手段４２と係合する部材である。例えば，前身頃側部分４ａの係止手段４２が面ファスナーのフック材である場合，タブ４３の止着手段４４としては，面ファスナーのループ材を採用すればよい。反対に，前身頃側部分４ａの係止手段４２が面ファスナーのループ材である場合には，タブ４３の止着手段４４としては，面ファスナーのフック材を採用すればよい。また，前身頃側部分４ａの係止手段４２が両面テープである場合，タブ４３の止着手段４４として両面テープを採用することもできる。タブ４３に止着手段４４を設けておくことで，タブ４３（後身頃側部分４ｂの一部）を前身頃側部分４ａの係止手段４２に止め付け易くなる。
【００３６】
図２の展開図に示されるように，本発明の使い捨ておむつ１００は，脚周り部４の後身頃側部分４ｂに伸縮性が付与されていることが好ましい。例えば，本実施形態において，脚周り部４の後身頃側部分４ｂには，幅方向に沿って伸縮するレッグ伸縮部材４５が固定されている。図２に示されるように，レッグ伸縮部材４５は複数本固定されていることが好ましい。複数本のレッグ伸縮部材４５は，おむつの長手方向（上下方向）に間隔をおいて，幅方向に延びるように平行に固定されている。レッグ伸縮部材４５は，幅方向に沿ってある程度伸張した状態で，脚周り部４の後身頃側部分４ｂを構成する複数のシート部材の間に挟持固定されている。これにより，後身頃側部分４ｂを幅方向に引っ張ると伸縮するようになる。このようにして，後身頃側部分４ｂに伸縮性を付与することで，この後身頃側部分４ｂを引っ張って，前身頃側部分４ａに設けられた係止手段４２に止め付けやすくなる。また，後身頃側部分４ｂを前身頃側部分４ａに止め付けた後にも，後身頃側部分４ｂが伸縮するため，脚周り部４が着用者の大腿に適切にフィットするようになる。このため，排泄物の漏れ防止効果も高まる。
【００３７】
また，図１及び図２に示されるように，サイドシール部５の下端部分，すなわちサイドシール部５とスリット４１の境界を含む位置には，サイドシール部５よりも強力に前身頃１と後身頃２を接合したシール補強部５０が形成されていることが好ましい。シール補強部５０は，例えば，ホットメルト接着剤やヒートシール等によってサイドシール部５を形成した後に，さらにその上から，サイドシール部５の下端にホットメルト接着剤を塗布したり，ヒートシール等を施したりすることによって形成することができる。例えば，シール補強部５０は，ホットメルト接着剤によって前身頃１と後身頃２を接合してサイドシール部５を形成した上で，さらに，サイドシール部５の下端にヒートシールや超音波シールを施すことによって形成することが好ましい。また，図１及び図２に示されるように，シール補強部５０における接合幅は，サイドシール部５における接合幅よりも幅広に形成することが好ましい。
【００３８】
サイドシール部５は，基本的に，使い捨ておむつ１００を着用者から脱がす際に，上方から下方に向かって破断される部分である。このため，サイドシール部５では，ある程度剥がれやすいように，前身頃１と後身頃２を接合している。ただし，本発明の使い捨ておむつ１００では，サイドシール部５の下方の延長線上に，スリット４１が位置している。スリット４１は脚周り部４のサイズ調整を行うために形成されたものであるが，脚周り部４のサイズ調整を行っている間に，スリット４１に沿ってサイドシール部５が不用意に破断してしまう事態も想定される。このため，スリット４１に沿って下方から上方に向かってサイドシール部５が破断してしまう事態は防止すべきである。そこで，本発明では，上記した構成のように，サイドシール部５とスリット４１の境界を含む位置にシール補強部５０を形成することで，サイドシール部５がスリット４１に沿って下方から上方に向かって不用意に破断する事態を防止することとしている。
【００３９】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。例えば，ボクサーパンツ型の使い捨ておむつの構成や製造方法については，特許文献１〜３に開示された公知の構成や製造方法を適宜参照することができる。
【００４０】
なお，本願明細書では，図１及び図２に示されるように，脚周り部４の前身頃側部分４ａに係止手段４２が設けられ，後身頃側部分４ｂにタブ４３やレッグ伸縮部材４５が設けられた実施形態を例に挙げて説明を行った。ただし，本発明は，この例に限定されるものではなく，脚周り部４の後身頃側部分４ｂに係止手段４２を設け，前身頃側部分４ａにタブ４３やレッグ伸縮部材４５が設けた実施形態にも適用することができる。
【産業上の利用可能性】
【００４１】
本発明は，ボクサーパンツ型の使い捨ておむつに関する。このため，本発明は，使い捨ておむつの製造業において好適に利用し得る。
【符号の説明】
【００４２】
１…前身頃              ２…後身頃              ３…吸収体
４…脚周り部            ４ａ…前身頃側部分      ４ｂ…後身頃側部分
５…サイドシール部      ６…ウエスト開口部      ７…レッグ開口部
１０…前身頃外装体      １１…ウエスト伸縮部材  ２０…後身頃外装体
２１…ウエスト伸縮部材  ４０…クロッチシール部  ４１…スリット
４２…係止手段          ４３…タブ              ４４…止着手段
４５…レッグ伸縮部材    ５０…シール補強部
【図１】
2015134129.tif 000003
【図２】
2015134129.tif 000004